(57)【要約】【課題】基板の実装面からの突出量を少なくでき、ハウジングの上端面を平坦な面にすることができ、更に、小型化が可能なコネクタを提供する。【解決手段】ハウジング５０を、ＬＥＤ実装基板に形成された切欠に挿入されるハウジング本体５１と、ハウジング本体５１に連なり、ＬＥＤ実装基板の実装面と対向する天板部５２とで構成する。ハウジング本体５１に、コンタクト３０の接触部３４を収容するとともに、ケーブルコネクタのハウジングを受け容れるコネクタ受容部５１ａを設ける。天板部５２に、コネクタ嵌合方向ＤＣと直交する挿入方向ＤＩからコンタクト３０の保持部３１を受け容れる保持部受容部５２ａを設ける。コンタクト３０の接続部３２，３３を天板部５２の側方へ突出させ、その接続部３２，３３の先端をハウジング５０に向かって折り曲げる。【選択図】図２
2011228138.tif 000002
【特許請求の範囲】
【請求項１】
コンタクトと、このコンタクトを保持するハウジングとを備え、基板に実装され、相手側コネクタに嵌合されるコネクタにおいて、
前記コンタクトは、前記ハウジングに保持される保持部と、この保持部に連なり、前記基板の実装面と接続する接続部と、前記保持部に連なり、前記相手側コネクタの相手側コンタクトと接触する接触部とを有し、
前記ハウジングは、前記基板に形成された被挿入部に挿入されるハウジング本体と、前記ハウジング本体に連なり、前記実装面と対向する天板部とを有し、
前記ハウジング本体に、前記接触部を収容するとともに、前記相手側コネクタの相手側ハウジングを受け容れるコネクタ受容部が設けられ、
前記天板部に、コネクタ嵌合方向と直交する挿入方向から前記保持部を受け容れる保持部受容部が設けられ、
前記接続部は前記天板部から前記コネクタ嵌合方向と直交する方向へ突出し、その接続部の先端が前記ハウジングに向かって折れ曲がっている
ことを特徴とするコネクタ。
【請求項２】
前記保持部が平板状であり、
前記保持部は、前記保持部受容部の内壁面に食い込み、前記保持部を前記天板部に保持させる第１突起部と、前記保持部受容部の内壁面を押圧する第２突起部とを有する
ことを特徴とする請求項１記載のコネクタ。
【請求項３】
前記天板部を上方から見たときその天板部によって前記コンタクトのほぼ全体が覆い隠される
ことを特徴とする請求項１又は２記載のいずれか１項記載のコネクタ。
【請求項４】
前記接続部がほぼＵ字状であることを特徴とする請求項１〜３記載のいずれか１項記載のコネクタ。
【請求項５】
前記コンタクトは前記接続部を複数有することを特徴とする請求項１〜４記載のいずれか１項記載のコネクタ。
【発明の詳細な説明】
【技術分野】
【０００１】
この発明はコネクタに関する。
【背景技術】
【０００２】
従来、一部が基板の実装面から突出するように基板に実装され、基板に実装された発光ダイオード（ＬＥＤ）に電力を供給するコネクタ組立体が知られている（下記特許文献１参照）。
【０００３】
このコネクタ組立体はハウジングとコンタクトとタブとを有する。
【０００４】
ハウジングは２つの開口と２つの上側スロットと２つの下側スロットと２つの突起とを有する。
【０００５】
２つの開口はハウジングの後端（ハウジングの相手コネクタを受け容れる側と反対側の端）に形成されている。
【０００６】
２つの上側スロットはそれぞれハウジングの後端に形成され、ハウジングの側面(前面)及びハウジングの後端で開口し、上述の開口の一端に通じている。
【０００７】
２つの下側スロットはそれぞれハウジングの側面（前面）に形成され、ハウジングの上下方向に沿ってハウジングの前端から上側スロットの近くまで延びている。下側スロットの上端は棚部となっている。
【０００８】
突起はハウジングの両側面に形成されている。突起内にはスロットが形成されている。このスロットはハウジングの上下方向へ延び、突起の下端で開口している。
【０００９】
コンタクトは挿入部と平坦部と傾斜部と実装部とを有する。
【００１０】
挿入部は相手コネクタに接触する部分であり、ハウジングの上下方向へ延びている。
【００１１】
平坦部は挿入部に連なり、ハウジングの前後方向へ延びている。
【００１２】
傾斜部は平坦部に連なり、ハウジングの上下方向に対してやや傾斜した方向へ延びており、傾斜部の下端は傾斜部の上端よりもハウジングから離れている。傾斜部の挿入部側面には、凸状の保持バーブが形成されている。
【００１３】
実装部は傾斜部に連なり、ハウジングから離れるようにハウジングの前後方向へ延びている。
【００１４】
タブは挿入部と実装部と曲げ部とを有している。
【００１５】
挿入部の前面及び後面には凸状の保持バーブが形成されている。
【００１６】
実装部は挿入部に対してほぼ直角であり、基板に対向する実装面を有している。曲げ部は挿入部と実装部とを連結する。
【００１７】
コンタクトをハウジングに固定するには、コンタクトの挿入部をハウジングの開口に挿入し、コンタクトの平坦部をハウジングの上側スロットに挿入し、コンタクトの傾斜部の保持バーブをハウジングの下側スロットの棚部に引っ掛ければよい。
【００１８】
タブをハウジングに固定するには、タブの挿入部を突起の下方から突起のスロットに挿入すればよい。
【００１９】
コネクタ組立体を基板に実装するには、まず、基板の開口にハウジングを挿入するとともに、コンタクトの実装部を基板のコンタクトパッド上に配置し、タブの実装部を基板の実装パッド上に配置する。
【００２０】
その後、コンタクトの実装部を基板のコンタクトパッドに、タブの実装部を基板の実装パッドにそれぞれ半田付けする。
【００２１】
以上の工程により、コネクタ組立体は基板上に実装される。
【先行技術文献】
【特許文献】
【００２２】
【特許文献１】特開２０１０−３６８８号公報（段落００１４〜００１７、図３、図５）
【発明の概要】
【発明が解決しようとする課題】
【００２３】
上述のコネクタ組立体では、コンタクトの平坦部をハウジングの上下方向に沿ってハウジングの上側スロットに挿入し、コンタクトの傾斜部の保持バーブをハウジングの下側スロットの棚部に引っ掛け、タブの挿入部をハウジングの上下方向に沿ってハウジングの突起のスロットに挿入する構成が開示されているので、コネクタ組立体の基板の実装面から突出する部分が高くなる。その結果、コネクタ組立体の近傍に配置されたＬＥＤの光がコンタクト組立体に当たって遮られる。
【００２４】
また、上述のコネクタ組立体では、コンタクトの傾斜部及び実装部はハウジングの外にあり、コンタクトの平坦部も上側スロットを通じて露出している。その結果、このコネクタ組立体を用いた照明装置では、コンタクトの露出部分が他の部分よりも暗くなり、明るさにむらが生じる。
【００２５】
更に、コンタクトの実装部やタブの実装部がハウジングの側面から突出しているので、コネクタ組立体が大型化し、基板に占めるコネクタ組立体の実装面積の割合が大きくなるおそれがある。
【００２６】
この発明はこのような事情に鑑みてなされたもので、その課題は基板の実装面からの突出量を少なくし、コンタクトの露出量を少なくすることができ、実装面積を小さくすることができるコネクタを提供することである。
【課題を解決するための手段】
【００２７】
上述の課題を解決するため請求項１記載の発明は、コンタクトと、このコンタクトを保持するハウジングとを備え、基板に実装され、相手側コネクタに嵌合されるコネクタにおいて、前記コンタクトは、前記ハウジングに保持される保持部と、この保持部に連なり、前記基板の実装面と接続する接続部と、前記保持部に連なり、前記相手側コネクタの相手側コンタクトと接触する接触部とを有し、前記ハウジングは、前記基板に形成された被挿入部に挿入されるハウジング本体と、前記ハウジング本体に連なり、前記実装面と対向する天板部とを有し、前記ハウジング本体に、前記接触部を収容するとともに、前記相手側コネクタの相手側ハウジングを受け容れるコネクタ受容部が設けられ、前記天板部に、コネクタ嵌合方向と直交する挿入方向から前記保持部を受け容れる保持部受容部が設けられ、前記接続部は前記天板部から前記コネクタ嵌合方向と直交する方向へ突出し、その接続部の先端が前記ハウジングに向かって折れ曲がっていることを特徴とする。
【００２８】
上述のように、天板部に設けられた保持部受容部がコネクタ嵌合方向と直交する挿入方向から保持部を受け容れるので、天板部の高さを低くでき、コネクタの基板の実装面からの突出量を小さくすることができる。
【００２９】
また、天板部にコネクタ嵌合方向と直交する挿入方向から保持部を受け容れる保持部受容部が設けられているので、天板部によってコンタクトの大部分を覆うことができ、コンタクトの露出量を少なくすることができる。
【００３０】
更に、接続部は天板部からコネクタ嵌合方向と直交する方向へ突出し、その接続部の先端がハウジングに向かって折れ曲がっているので、コネクタのコネクタ嵌合方向と直交する方向の寸法が大きくならない。
【００３１】
請求項２記載の発明は、請求項１記載のコネクタにおいて、前記保持部が平板状であり、前記保持部は、前記保持部受容部の内壁面に食い込み、前記保持部を前記天板部に保持させる第１突起部と、前記保持部受容部の内壁面を押圧する第２突起部とを有することを特徴とする。
【００３２】
請求項３記載の発明は、請求項１又は２記載のいずれか１項記載のコネクタにおいて、前記天板部を上方から見たときその天板部によって前記コンタクトのほぼ全体が覆い隠されることを特徴とする。
【００３３】
請求項４記載の発明は、請求項１〜３記載のいずれか１項記載のコネクタにおいて、前記接続部がほぼＵ字状であることを特徴とする。
【００３４】
請求項５記載の発明は、請求項１〜４記載のいずれか１項記載のコネクタにおいて、前記コンタクトは前記接続部を複数有することを特徴とする。
【発明の効果】
【００３５】
この発明によれば、基板の実装面からの突出量を少なくし、コンタクトの露出量を少なくすることができ、実装面積を小さくすることできる。
【図面の簡単な説明】
【００３６】
【図１】図１はこの発明の一実施形態のコネクタの使用状態を示す斜視図である。
【図２】図２は図１に示すコネクタの斜視図である。
【図３】図３は図２に示すコネクタの側面図である。
【図４】図４は図２に示すコネクタのコンタクトを斜め上方から見た状態を示す斜視図である。
【図５】図５は図４に示すコンタクトを斜め下方から見た状態を示す斜視図である。
【図６】図６は図４に示すコンタクトの正面図である。
【図７】図７は図６に示すコンタクトの平面図である。
【図８】図８は図６に示すコンタクトの底面図である。
【図９】図９は図６に示すコンタクトの右側面図である。
【図１０】図１０は図６に示すコンタクトの左側面図である。
【図１１】図１１は図２に示すコネクタのハウジングを斜め下方から見た状態を示す斜視図である。
【図１２】図１２は図１１に示すハウジングを斜め上方から見た状態を示す斜視図である。
【図１３】図１３は図１１に示すハウジングの正面図である。
【図１４】図１４は図１３に示すハウジングの平面図である。
【図１５】図１５は図１３に示すコンタクトの底面図である。
【図１６】図１６は図１３に示すコンタクトの右側面図である。
【図１７】図１７はコネクタＬＥＤ実装基板に実装する前の状態を示す斜視図である。
【図１８】図１８はＬＥＤ実装基板に実装されたコネクタにケーブルコネクタを接続する前の状態を示す斜視図である。
【図１９】図１９は図１８に示すコネクタを斜め下方から見た斜視図である。
【図２０】図２０はＬＥＤ実装基板に実装されたコネクタにケーブルコネクタを接続した状態を示す斜視図である。
【図２１】図２１は図２０に示すコネクタを斜め下方から見た斜視図である。
【図２２】図２２はこの発明の一実施形態の変形例のコネクタの正面図である。
【図２３】図２３は図２２に示すコネクタの平面図である。
【図２４】図２４は図２２に示すコネクタの右側面図である。
【発明を実施するための形態】
【００３７】
以下、この発明の実施の形態を図面に基づいて説明する。
【００３８】
図１に示すように、コネクタ１０は、複数のＬＥＤ８３が実装されたＬＥＤ実装基板（基板）８１に実装され、ケーブルコネクタ（相手側コネクタ）７０のケーブル７０ｂとＬＥＤ実装基板８１とを接続して複数のＬＥＤ８３に図示しない電源からの電力を供給可能にするコネクタである。この実施形態ではＬＥＤ８３はバックライト（図示せず）の光源である。
【００３９】
図２、図３に示すように、コネクタ１０は２つのコンタクト３０と１つのハウジング５０とを備えている。
【００４０】
図４、図５に示すように、コンタクト３０は１つの保持部３１と２つの接続部３２，３３と１つの接触部３４とを有する。コンタクト３０は１つの金属板に打抜き加工及び曲げ加工を施すことによって形成されている。
【００４１】
保持部３１は平板状であり、先端部３１ａと中間部３１ｂと後端部３１ｃとを有する（図７、図８参照）。先端部３１ａと中間部３１ｂと後端部３１ｃとはコネクタ嵌合方向ＤＣ（図９、図１０参照）と直交する挿入方向ＤＩへ連なる。保持部３１の板厚方向はコネクタ嵌合方向ＤＣとＬＥＤ実装基板８１の板厚方向とのいずれにも一致する。先端部３１ａの一方の側面３１ｈには２つの突起部（第１突起部）３１ｅが形成されている。中間部３１ｂは先端部３１ａに連なる。中間部３１ｂの裏面にはダボ（第２突起部）３１ｄが形成されている（図５、図６、図８参照）。ダボ３１ｄの中心は、図８に示すように、先端部３１ａの突起部３１ｅが形成されている側面３１ｈと反対側の側面３１ｉよりもコンタクト３０の左右方向ＤＬで接続部３２側に位置している。後端部３１ｃは中間部３１ｂに連なる。
【００４２】
図２、図６に示すように、接続部３２は保持部３１の中間部３１ｂに連なる。接続部３２はその先端が天板部５２に向かうようにほぼＵ字形に折れ曲がっている。接続部３２の固定部側の端部は保持部３１から後述する天板部５２の側方へ突出している。接続部３３は保持部３１の後端部３１ｃに連なる。接続部３３はその先端が天板部５２に向かうようにほぼＵ字形に折れ曲がっている。接続部３３の固定部側の端部は保持部３１から天板部５２の側方へ突出している。
【００４３】
図７、図９、図１０に示すように、接触部３４は保持部３１の中間部３１ｂに連なり、コネクタ嵌合方向ＤＣへ延びている。接触部３４はピン状部３４ａと幅広部３４ｂとを有する。ピン状部３４ａはケーブルコネクタ７０のコンタクト（図示せず）に接触する。ピン状部３４ａは幅広部３４ｂに連なる。幅広部３４ｂは中間部３１ｂに連なる。
【００４４】
図１１、図１２に示すように、ハウジング５０はハウジング本体５１と天板部５２とを有する。
【００４５】
ハウジング本体５１はほぼ角筒状であり、コネクタ受容部５１ａを有する（図２、図１２、図１３、図１５参照）。コネクタ受容部５１ａは、コンタクト３０の接触部３４を収容するとともに、ケーブルコネクタ７０のハウジング（相手側ハウジング）７１（図１９参照）を受け容れる。コネクタ受容部５１ａはハウジング本体５１の下方へ開放されている。ハウジング本体５１の前面部５１ｂには開口が形成され、コネクタ受容部５１ａはハウジング本体５１の前方へ開放されている。ハウジング本体５１の両側面部５１ｃには凹部５１ｅが形成されている（図１１、図１２、図１６等参照）。凹部５１ｅの一端は前方へ開放されている。
【００４６】
天板部５２はハウジング本体５１に連なり、ＬＥＤ実装基板８１の実装面８１ｂと対向する（図１７、図１８参照）。天板部５２の板厚方向はコネクタ嵌合方向ＤＣとＬＥＤ実装基板８１の板厚方向と一致する。天板部５２には２つの保持部受容部５２ａが形成されている。保持部受容部５２ａは挿入方向ＤＩに沿ってコンタクト３０の保持部３１を受け容れる。保持部受容部５２ａの保持部３１の先端部３１ａを受け容れる部分は穴５２ｈ（図１３参照）になっており、先端部３１ａの四方を囲む。天板部５２の両側部の下面にはそれぞれ凹部５２ｂが形成されている。凹部５２ｂは接続部３２の先端部を受け容れる。また、天板部５２の前面部には２つの凹部５２ｃが形成されている。凹部５２ｃは接続部３３の先端部を受け容れる。天板部５２の上面５２ｄは平坦面であり、溝等がない（図１４参照）。
【００４７】
天板部５２からハウジング本体５１にかけて２つの溝５０ａが形成されている（図１３、図１５参照）。溝５０ａはコンタクト３０の接触部３４の幅広部３４ｂを受け容れる溝である。溝５０ａを介して保持部受容部５２ａとコネクタ受容部５１ａとが通じている。幅広部３４ｂと溝５０ａとにより、左右方向ＤＬ（図８、図１３参照）方向へのコンタクト３０のピン状部３４ａの振れが規制される。
【００４８】
コンタクト３０をハウジング５０に組み付けるには、ハウジング５０の前方から挿入方向ＤＩに沿ってコンタクト３０の保持部３１を天板部５２の保持部受容部５２ａに挿入すればよい。
【００４９】
コンタクト３０の保持部３１を天板部５２の保持部受容部５２ａに挿入すると、保持部３１の先端部３１ａの突起部３１ｅが穴５２ｈの内壁面（垂直面）と強く接触し、コンタクト３０は天板部５２の側面５２ｅ（図１３参照）の方へ押し付けられ圧入保持される。先端部３１ａの側面３１ｉはコンタクト３０の打抜き加工時に傾斜面になる（いわゆるダレが生じる。）ので、側面３１ｉが天板部５２の穴５２ｈの内壁面（垂直面）に押し付けられると、側面３１ｉの下端を中心にして保持部３１が回転し、先端部３１ａが穴５２ｈの内壁面（水平面）に対して傾こうとする。しかし、コンタクト３０には左右方向ＤＬで側面３１ｉよりも接続部３２側にダボ３１ｄがあり（図８参照）、ダボ３１ｄが保持部３１を穴５２ｈの内壁面（水平面）に押し付けるので、先端部３１ａの回転が阻止され、保持部３１はＬＥＤ実装基板８１に対して平行な状態で保持部受容部５２ａ内に挿入され、保持される。
【００５０】
コネクタ１０をＬＥＤ実装基板８１に実装するには、まず、図１７に示すように、コネクタ１０のハウジング５０のハウジング本体５１をＬＥＤ実装基板８１の切欠（被挿入部）８１ａに挿入する。このとき、コネクタ１０の一方のコンタクト３０の接続部３２をランド８１ｄに、接続部３３をランド８１ｃにそれぞれ配置し、コネクタ１０の他方のコンタクト３０の接続部３２をランド８１ｆに、接続部３３をランド８１ｅにそれぞれ配置する。
【００５１】
その後、一方のコンタクト３０の接続部３２，３３をランド８１ｄ，８１ｃに、コネクタ１０の他方のコンタクト３０の接続部３２，３３をランド８１ｆ，８１ｅにそれぞれ半田付けする。
【００５２】
以上の工程を経てコネクタ１０はＬＥＤ実装基板８１に実装される。
【００５３】
コネクタ１０にケーブルコネクタ７０を接続するには、図１８、図１９に示すように、コネクタ１０の下方からコネクタ嵌合方向ＤＣに沿ってケーブルコネクタ７０をコネクタ１０に嵌合する。
【００５４】
ケーブルコネクタ７０のハウジング７１の２つのロック部７１ａ，７１ａ（図１９参照）にそれぞれ形成された爪７１ｂ，７１ｂの間隔はコネクタ１０のハウジング５０の両側面部５１ｃ，５１ｃの間隔よりも狭く設定されている。このため、コネクタ１０にケーブルコネクタ７０を嵌合するとき、爪７１ｂ，７１ｂが両側面部５１ｃ、５１ｃ上を移動し、爪７１ｂ，７１ｂが凹部５１ｅ，５１ｅに達すると、ロック部７１ａ，７１ａの弾性力によって爪７１ｂ，７１ｂは凹部５１ｅ，５１ｅに入る。このとき、音が発生するので、ケーブルコネクタ７０がコネクタ１０に正常に嵌合したことが分かる。したがって、爪７１ｂ，７１ｂが凹部５１ｅ，５１ｅに嵌合したときの音に注意してコネクタ１０とケーブルコネクタ７０との接続作業を行えば、コネクタ１０とケーブルコネクタ７０とが確実に電気的に接続されたことを知ることができる。
【００５５】
この実施形態によれば、ハウジング５０の天板部５２の保持部受容部５２ａはコネクタ嵌合方向ＤＣと直交する挿入方向ＤＩからコンタクト３０の保持部３１を受け容れるので、天板部５２の高さ寸法を低くすることができ、コネクタ１０におけるコネクタ嵌合方向ＤＣの寸法を容易に小さくすることができる。
【００５６】
また、天板部５２の高さ寸法を低くすることができるので、ＬＥＤ実装基板８１の実装面８１ｂからのコネクタ１０の突出量を小さくすることができ、コネクタ１０によって遮られるＬＥＤ８３の光の量が減る。
【００５７】
更に、コンタクト３０の挿入方向ＤＩとコネクタ嵌合方向ＤＣとが直交するので、天板部５２の上面５２ｄに溝や切欠等を形成する必要がなくなるので、ＬＥＤ８３が点灯したときバックライトの導光板に明暗のむらが生じるのを防ぐことができる。また、天板部５２の上面５２ｄには溝や切欠等がないので、天板部５２の上面５２ｄを図示しないマウンタの吸着部によって吸着することができる。
【００５８】
更に、コンタクト３０の接続部３２，３３がほぼＵ字形に折り曲げられ、接続部３２，３３の先端がハウジング５０に向いているので、コネクタ１０をＬＥＤ実装基板８１に実装するのに必要な実装面積又は実装スペースを小さくすることができる。また、接続部３２，３３がほぼＵ字形に折り曲げられ、その先端部の表面（打抜き加工によって形成される切断面と直交する面）がランド８１ｄ，８１ｃ，８１ｆ，８１ｅに半田付けされるので、接続部３２，３３のランド８１ｄ，８１ｃ，８１ｆ，８１ｅに対する半田付けの面積を大きくすることができ、コンタクトの実装部の半田付け面が打抜き加工によって形成された切断面である従来のコネクタに較べて、接続部３２，３３の半田付け強度が高く、接続部３２，３３がランド８１ｄ，８１ｃ，８１ｆ，８１ｅから剥がれるおそれが少ない。
【００５９】
また、コンタクト３０はダボ３１ｄを有するので、コンタクト３０をハウジング５０に挿入するとき、保持部３１がＬＥＤ実装基板８１の実装面８１ｂに対して傾くのを抑制することができる。更に、ダボ３１ｄによって保持部３１がコネクタ受容部５１ａの内壁面に強く押し付けられるので、保持部３１が振れにくくなり、接触部３４の振れも抑制することができる。また、接触部３４が振れにくいので、接触部３４が傾いた状態でコネクタ１０がケーブルコネクタ７０と嵌合して、接触部３４が相手側コンタクト（図示せず）と接触しなかったり、接触部３４が相手側コンタクトによって折り曲げられたりする事故を防ぐことができる。
【００６０】
更に、２つのコンタクト３０はそれぞれ２つの接続部３２，３３を有するので、１つのコネクタ１０には４つの接続部３２，３３があり、このうちの１つの接続部３２，３３がＬＥＤ実装基板８１から外れても、コネクタ１０がぐらつくことがなく、また、ＬＥＤ８３に電力を供給し続けることができる。更に、２つのコンタクト３０はそれぞれ２つの接続部３２，３３を有するので、ホールドダウン（図示せず）を省略することができる。
【００６１】
更に、ハウジング５０の天板部５２のコネクタ受容部５１ａはコネクタ嵌合方向ＤＣと直交する挿入方向ＤＩからコンタクト３０の保持部３１を受け容れるので、コネクタ１０にケーブルコネクタ７０を接続するときに、ケーブルコネクタ７０によってコネクタ１０のハウジング５０がコネクタ嵌合方向ＤＣに沿って上方へ押圧されても、コンタクト３０がハウジング５０から抜け出るおそれがない。
【００６２】
次に、上述の実施形態の変形例のコネクタを図２２〜図２４に基づいて説明する。上述の実施形態と共通する部分には同一符号を付してその説明を省略する。
【００６３】
上述の実施形態では、天板部５２をほぼ真上から見たとき、天板部５２によってコンタクト３０のほぼ全体が覆い隠され、接続部３２，３３の一部が露出する。
【００６４】
これに対し、この変形例では、コネクタ２１０のハウジング２５０の天板部２５２は、天板部２５２をほぼ真上から見たとき、図２３に示すように、天板部２５２によってコンタクト３０の全体が覆い隠され、接続部３２，３３の一部が露出しない。
【００６５】
この変形例によれば、上述の実施形態と同様の効果を奏するとともに、天板部２５２をほぼ真上から見たとき、天板部２５２によってコンタクト３０の全体が覆い隠されるので、ＬＥＤ８３の光の反射を抑制できる。
【００６６】
なお、上述の実施形態、変形例では、コネクタ１０，２１０は２つのコンタクト３０を備えているが、コンタクト３０の数は２つに限られず、１つでも３つ以上でもよい。
【００６７】
また、上述の実施形態、変形例では、コネクタ１０，２１０が挿入される被挿入部として切欠８１ａが採用されているが、被挿入部は切欠８１ａに限られず、例えば孔でもよい。
【００６８】
なお、上述の実施形態、変形例では、コンタクト３０の保持部３１にダボ３１ｄを設けたが、保持部３１にダボ３１ｄを設けなくてもよい。
【００６９】
また、上述の実施形態、変形例では、接続部３２，３３をほぼＵ字形に折り曲げたが、接続部３２，３３を、例えばＪ字形や円弧状に折り曲げてもよい。
【００７０】
なお、上述の実施形態、変形例では、コンタクト３０は２つの接続部３２，３３を有しているが、コンタクト３０の接続部の数は２つに限られず、１つでも３つ以上でもよい。
【００７１】
また、上述の実施形態、変形例のコネクタ１０，２１０はＬＥＤ実装基板８１に電力を供給するものであるが、この発明のコネクタは電力供給用のコネクタに限られない。
【符号の説明】
【００７２】
１０，２１０  コネクタ
３０  コンタクト
３１  保持部
３１ｅ  突起部（第１突起部）
３１ｄ  ダボ（第２突起部）
３２，３３  接続部
３４  接触部
５０，２５０  ハウジング
５１  ハウジング本体
５１ａ  コネクタ受容部
５２，２５２  天板部
５２ａ  保持部受容部
７０  ケーブルコネクタ（相手側コネクタ）
７１  ハウジング（相手側ハウジング）
８１  ＬＥＤ実装基板（基板）
８１ａ  切欠（被挿入部）
８１ｂ  実装面
ＤＣ  コネクタ嵌合方向
ＤＩ  挿入方向
【図１】
2011228138.tif 000003
【図２】
2011228138.tif 000004
【図３】
2011228138.tif 000005
【図４】
2011228138.tif 000006
【図５】
2011228138.tif 000007
【図６】
2011228138.tif 000008
【図７】
2011228138.tif 000009
【図８】
2011228138.tif 000010
【図９】
2011228138.tif 000011
【図１０】
2011228138.tif 000012
【図１１】
2011228138.tif 000013
【図１２】
2011228138.tif 000014
【図１３】
2011228138.tif 000015
【図１４】
2011228138.tif 000016
【図１５】
2011228138.tif 000017
【図１６】
2011228138.tif 000018
【図１７】
2011228138.tif 000019
【図１８】
2011228138.tif 000020
【図１９】
2011228138.tif 000021
【図２０】
2011228138.tif 000022
【図２１】
2011228138.tif 000023
【図２２】
2011228138.tif 000024
【図２３】
2011228138.tif 000025
【図２４】
2011228138.tif 000026